(57)【要約】【課題】  連結リングを取り付けてない一般に使用されている電気掃除機を背負うことができ、しかも、取扱が容易で、コストも安い背負い具を提供する。【解決手段】  対向する２枚のシート２、３の下縁を複数の連結ベルト８で連結し、２枚のシート２、３の上縁に紐５またはベルトを取付け、２枚のシートの内一方のシート２の外面に背負いベルト７と、該外面の下部両側に補助ベルト１０を取付けて電気掃除機の背負い具１を構成し、２枚のシートの間に電気掃除機の本体をその尻部を下方にして入れ、紐５またはベルトを係止して電気掃除機の本体の首部を締めて２枚のシート２、３を電気掃除機の本体に装着し、補助ベルト１０で、電気掃除機のホースを、２枚のシートの内電気掃除機の本体を覆うシート３の上に締め付け固定し、背負いベルト７で電気掃除機を背負うことを可能とする。【選択図】      図２
0003104805.tif 000002
【実用新案登録請求の範囲】
【請求項１】
対向する２枚のシートの下縁を複数の連結ベルトまた連結紐で連結し、前記２枚のシートの上縁に紐またはベルトを取付け、前記２枚のシートの内一方のシートの外面に背負いベルトまたは背負い紐を取付けてなり、
前記２枚のシートの間に電気掃除機の本体をその尻部を下方にして入れ、前記対向する２枚のシートの対向する上縁部の紐またはベルトを係止して前記電気掃除機の本体の首部を締めて前記２枚のシートを前記電気掃除機の本体に装着し、前記背負いベルトまたは背負い紐に腕を通して前記電気掃除機の本体を背負うことを可能とする電気掃除機の背負い具。
【請求項２】
対向する２枚のシートの下縁を複数の連結ベルトまた連結紐で連結し、前記２枚のシートの上縁に紐またはベルトを取付け、前記２枚のシートの内一方のシートの外面に背負いベルトまたは背負い紐と、該外面の下部両側に補助ベルトまたは補助紐を取付けてなり、
前記２枚のシートの間に電気掃除機の本体をその尻部を下方にして入れ、前記対向する２枚のシートの対向する上縁部の紐またはベルトを係止して前記電気掃除機の本体の首部を締めて前記２枚のシートを前記電気掃除機の本体に装着し、前記補助ベルトまたは補助紐で、前記電気掃除機のホースを、前記２枚のシートの内電気掃除機の本体を覆うシートの上に締め付け固定し、前記背負いベルトまたは背負い紐に腕を通して前記電気掃除機の本体を背負うことを可能とする電気掃除機の背負い具。
【請求項３】
対向する両縁の両端部に紐またはベルトを取付けた２枚のシートを対向させ、前記２枚のシートの内一方のシートの外面に背負いベルトまたは背負い紐を取付けてなり、
前記２枚のシートの間に電気掃除機の本体を入れ、前記対向する２枚のシートの対向する縁部の紐またはベルトを係止して前記電気掃除機の本体の首部と後部を締めて前記２枚のシートを前記電気掃除機の本体に装着し、前記背負いベルトまたは背負い紐に腕を通して前記電気掃除機の本体を背負うことを可能とする電気掃除機の背負い具。
【請求項４】
中央部に孔を設けたシートを、前記孔の部分で２つに折り曲げ、その２つ折り曲げ部の、前記孔と反対側の縁部それぞれの両側に締め付け用の紐またはベルトを取付け、前記２つの折り曲げ部の内一方の折り曲げ部外面に背負いベルトまたは背負い紐を取付けてなり、前記２つの折り曲げ部の間に電気掃除機の本体を、その排気孔を前記シートの孔に対向させて、入れ、前記対向する２つの折り曲げ部の縁部の対向する部分の紐またはベルトを係止して前記電気掃除機の本体の首部を締めて前記シートを前記電気掃除機の本体に装着し、前記背負いベルトまたは背負い紐に腕を通して前記電気掃除機の本体を背負うことを可能とする電気掃除機の背負い具。
【請求項５】
中央部に孔を設けたシートを、前記孔の部分で２つに折り曲げ、その２つ折り曲げ部のそれぞれの両側の上方部と下方部に紐またはベルトを取付け、前記２つの折り曲げ部の内一方の折り曲げ部外面に背負いベルトまたは背負い紐を取付けてなり、
前記２つの折り曲げ部の間に電気掃除機の本体を、その排気孔を前記シートの孔に対向させて、入れ、前記対向する２つの折り曲げ部の対向する部分の紐またはベルトを係止して前記電気掃除機の本体の首部と後部を締めて前記シートを前記電気掃除機の本体に装着し、前記背負いベルトまたは背負い紐に腕を通して前記電気掃除機の本体を背負うことを可能とする電気掃除機の背負い具。
【考案の詳細な説明】
【技術分野】
【０００１】
この考案は、電気掃除機を背負って掃除できる背負い具（ショルダー）に関するものである。
【背景技術】
【０００２】
従来の電気掃除機は、床の上を引っ張って移動してながら掃除しているが、階段の掃除では、片手で電気掃除機を持ち、他方の片手で吸い込みパイプを持って掃除しなければならず、吸い込みパイプの届かない高いところの掃除では、やはり他方の片手で吸い込みパイプを持って踏台等に昇って掃除しなければならず、危険であり、掃除機が重く掃除に疲れる。
床の上に色々な家具や物品が置いてある場合には、電気掃除機の床の上の移動が妨げられて、掃除しにくい。
【０００３】
そこで、特許文献１に記載のような背負える電気掃除機がある。この電気掃除機は、背面の中央上部と下方左右に連結リングを取付け、それらの連結リングに背負い帯を取付け可能としている。
【特許文献１】特開２００１−１８７０００号公報（特許請求の範囲、発明の実施の形態、図１、図４）
【考案の開示】
【考案が解決しようとする課題】
【０００４】
上記の背負える電気掃除機は、当初から、特別に連結リングの取付け構造にしたものでなければならず、一般に使用されいる電気掃除機には背負い帯を取り付けることができず、従ってそれらの電気掃除機を背負うことはできない。
【課題を解決するための手段】
【０００５】
対向する２枚のシートの下縁を複数の連結ベルトまた連結紐で連結し、前記２枚のシートの上縁に紐またはベルトを取付け、前記２枚のシートの内一方のシートの外面に背負いベルトまたは背負い紐を取付けて電気掃除機の背負い具を構成し、前記２枚のシートの間に電気掃除機の本体をその尻部を下方にして入れ、前記対向する２枚のシートの対向する上縁部の紐またはベルトを係止して前記電気掃除機の本体の首部を締めて前記２枚のシートを前記電気掃除機の本体に装着し、前記背負いベルトまたは背負い紐に腕を通して前記電気掃除機の本体を背負うことを可能とする。
【０００６】
対向する２枚のシートの下縁を複数の連結ベルトまた連結紐で連結し、前記２枚のシートの上縁に紐またはベルトを取付け、前記２枚のシートの内一方のシートの外面に背負いベルトまたは背負い紐と、該外面の下部両側に補助ベルトまたは補助紐を取付けて電気掃除機の背負い具を構成し、前記２枚のシートの間に電気掃除機の本体をその尻部を下方にして入れ、前記対向する２枚のシートの対向する上縁部の紐またはベルトを係止して前記電気掃除機の本体の首部を締めて前記２枚のシートを前記電気掃除機の本体に装着し、前記補助ベルトまたは補助紐で、前記電気掃除機のホースを、前記２枚のシートの内電気掃除機の本体を覆うシートの上に締め付け固定し、前記背負いベルトまたは背負い紐に腕を通して前記電気掃除機の本体を背負うことを可能とする。
【０００７】
対向する両縁の両端部に紐またはベルトを取付けた２枚のシートを対向させ、前記２枚のシートの内一方のシートの外面に背負いベルトまたは背負い紐を取付けて電気掃除機の背負い具を構成し、前記２枚のシートの間に電気掃除機の本体を入れ、前記対向する２枚のシートの対向する縁部の紐またはベルトを係止して前記電気掃除機の本体の首部と後部を締めて前記２枚のシートを前記電気掃除機の本体に装着し、前記背負いベルトまたは背負い紐に腕を通して前記電気掃除機の本体を背負うことを可能とする。
【０００８】
中央部に孔を設けたシートを、前記孔の部分で２つに折り曲げ、その２つ折り曲げ部の、前記孔と反対側の縁部それぞれの両側に締め付け用の紐またはベルトを取付け、前記２つの折り曲げ部の内一方の折り曲げ部外面に背負いベルトまたは背負い紐を取付けて電気掃除機の背負い具を構成し、前記２つの折り曲げ部の間に電気掃除機の本体を、その排気孔を前記シートの孔に対向させて、入れ、前記対向する２つの折り曲げ部の縁部の対向する部分の紐またはベルトを係止して前記電気掃除機の本体の首部を締めて前記シートを前記電気掃除機の本体に装着し、前記背負いベルトまたは背負い紐に腕を通して前記電気掃除機の本体を背負うことを可能とする。
【０００９】
中央部に孔を設けたシートを、前記孔の部分で２つに折り曲げ、その２つ折り曲げ部のそれぞれの両側の上方部と下方部に紐またはベルトを取付け、前記２つの折り曲げ部の内一方の折り曲げ部外面に背負いベルトまたは背負い紐を取付けて電気掃除機の背負い具を構成し、前記２つの折り曲げ部の間に電気掃除機の本体を、その排気孔を前記シートの孔に対向させて、入れ、前記対向する２つの折り曲げ部の対向する部分の紐またはベルトを係止して前記電気掃除機の本体の首部と後部を締めて前記シートを前記電気掃除機の本体に装着し、前記背負いベルトまたは背負い紐に腕を通して前記電気掃除機の本体を背負うことを可能とする。
【考案の効果】
【００１０】
この考案に係る背負い具は、連結リングを取り付けてない一般に使用されている電気掃除機を背負うことができ、しかも、取扱が容易で、コストも安い。
【考案を実施するための最良の形態】
【００１１】
図１は、この考案に係る背負い具１の展開説明図である。
背負い具１は、２枚のシート２、３のそれぞれの両端縁部４、４を折り返して重ね、それぞれの重ね部分を縫糸で縫着して、紐５を通すための通孔６を設ける。縫着の代わりに接着してもよい。
シート２、３は、布、プラスチック、ゴム、皮のいずれの材料でもよい。
【００１２】
２枚のシート２、３の内一方のシート、図においてはシート２の面に、背負いベルト７、７または背負い紐を縫着または接着して固定する。
【００１３】
２枚のシート２、３の、通孔６を設けてない方の縁を対向させ、その両縁を連結ベルトで連結する。各連結ベルトは、接続金具で連結分離可能な連結ベルト８、８とするのが好ましい。
前記接続金具は、限定せず、雌雄差込み式や、円環と棒体よりなる止め金式や、その他の公知の構造のものを用いることができる。図に示す接続金具９は雌雄差込み式のものである。
連結ベルト８は、図においては２本であるが、それ以上の本数でもよい。
図中１０は補助ベルトである。ベルトの代わりに紐を用いてもよい。この補助ベルト１０の使用方法については後述する。
【００１４】
図２に示すとおり、シート２の背負いベルト７または背負い紐を外側にし、２つのシート２、３を対向させ、紐５をシート２、３の上縁の通孔６に通すことにより背負い具１を形成する。
図において、紐５は１本の紐を用いたが、シート２、３のそれぞれの通孔６にそれぞれ別の紐を通してもよい。
【００１５】
背負い具１は、図３、４に示すように、電気掃除機に装着する。
図中１１は電気掃除機の本体で、１２はホース１３を装着するための首部で、１４は車である。
電気掃除機の本体１１を縦にし、その尻部（後部）を下にして、２枚のシート２、３の対向する面の間に入れ、シート２と３とで本体１１を挟み、首部１２において、紐５を締めて結ぶ。
首部１２の先端部およびホース１３は２枚のシート２、３の上縁から突出し、車１４は２枚のシート２、３の対向する両縁間から突出して回転可能である。排気孔（（図示省略）は、２枚のシート２、３の下縁間に位置し、排気が妨げられない。電気掃除機のコード（図示省略）は２枚のシート２、３の下縁または側縁間から引き出す。
【００１６】
背負い具１は、紐５の締め具合を調節することにより、タイプの大きさや、異なる掃除機にも対応することができる。
【００１７】
補助ベルト１０、１０または補助紐を取付けてある場合には、図４に示すとおり、補助ベルト１０、１０または補助紐をシート３の外面で結んで電気掃除機の本体１１を抱えて固定する。
この際に、ホース１３も一緒に補助ベルト１０、１０または補助紐で押さえて締め付けてもよい。
【００１８】
上記のとおり背負い具１を装着した電気掃除機は、その状態で床上をひっぱって掃除することができる。
図５に示すとおり、背負いベルト７、７に腕を通して本体１１を背負い、ホース１３の先のパイプを持って移動できる。電気掃除機を背負うと、階段の掃除や、踏台に昇って高い所の掃除を安全に、安心して行うことができる。
【００１９】
紐５の代わりに、図６に示す背負い具１ａのように、シート２、３の上方の縁部に通孔６を設けないで、上縁の端部に、複数の孔１６を設けた連結ベルト１５の一端を固着し、他方の端部に、接続金具、たとえば、先端に止め金輪１７と止め棒１７ａを設けた連結ベルト１８の他端を固着してもよい。接続金具は雌雄差込み式のものでもよい。
図において、連結ベルト８は、シート２、３のそれぞれに２本を取付けているが、それ以上の本数を取付けてもよい。
２枚のシート２、３の間に電気掃除機の本体１１を入れ、２つのシート２と３とで電気掃除機の本体１１を挟み、シート２の連結ベルト１５の先端部をシート３の連結ベルト１８の止め金の輪１７に通し、止め棒１７ａを連結ベルト１５の孔１６を選んでその孔１６に挿入して連結ベルト１５と１８を係止して、背負い具１ａを本体１１に装着し、背負いベル７、７に腕を通して本体１１を背負うことができる。
【００２０】
図７に、他の実施の形態の背負い具２０を示す。
背負い具２０は、シート２１の中心部に孔２２を設け、シート２１の両端部の両側方部分に紐２３を取付け、シート２１の孔２２の位置で折り曲げた状態で、両折り曲げ部の下部の側方部分のそれぞれに紐２３を取付け、一方の折り曲げ部の外面に背負いベルト２４、２４を取付けたものである。
【００２１】
シート２１の両端部の両側方部分に、紐２３を取り付ける代わりに、図１に示すシート２、３の端部のように、シート２１の両端部の縁部を折り返して重ね、それぞれの重ね部を縫着または接着して、紐通しのための通孔６を設け、通孔に紐を通してもよい。
また、紐２３の代わりに、図６に示す連結ベルト１５、１８を取付けてもよい。
【００２２】
この背負い具２０を電気掃除機に装着した状態を図８に示す。
すなわち、シート２１を孔２２の部分で２つ折りにし、２つの対向する面の間に電気掃除機の本体１１を、尻部（後部）の排気孔を孔２２に対向させて入れ、２つの折り返し部の端部の紐２３を電気掃除機の首部１２または肩部の所で締めて結び、２つの折り返し部の下方の紐２３も締めて結ぶ。背負いベルト２４、２４に腕を通して本体１１を背負うことができる。
【００２３】
両折り曲げ部の下部の側方部分のそれぞれに、紐23を取付けに代わりに、背負いベルト２４の下端部、または、下端付近のシート外面に補助ベルトまたは補助紐を取り付けてもよい。
この補助ベルトまたは補助紐の使用方法は、図４について説明したものと同様である。    
【００２４】
いずれの実施の形態の背負い具においても、装着時の上下の紐またはベルトの中間にも、他の紐またはベルトを取付ければ、本体１１に背負い具をより確実強固に装着することができる。
【００２５】
いずれの実施の形態の背負い具においても、背負いベルト７、７のそれぞれを２つの紐にし、また、背負いベルト２４、２４を連結ベルト１５と１７にすれば、結びまたは係止状態を調整して、使用者の体格に適応させることが出来る。
いずれの実施の形態の背負い具においても、接続金具は、公知の構造のものを用いることができる。
【図面の簡単な説明】
【００２６】
【図１】背負い具の展開説明図である。
【図２】背負い具の斜視図である。
【図３】背負い具を電気掃除機の本体に装着する手順説明図である。
【図４】背負い具を電気掃除機の本体に装着した状態の斜視図である。
【図５】背負い具の使用状態の説明図である。
【図６】他の実施の形態の背負い具の斜視図である。
【図７】他の実施の形態の背負い具の斜視図である。
【図８】図７に示す実施の形態の背負い具を電気掃除機の本体に装着した状態の斜視図である。
【符号の説明】
【００２７】
１    背負い具
２    シート
３    シート
４    端縁部
５    縫着
６    通孔
７    紐
８    連結ベルト
９    接続金具
１０  補助ベルト
１１  本体
１２  首部
１３  ホース
１４  車
１５  連結ベルト
１６  孔
１７  止め金の輪
１７ａ  止め棒
１８  連結ベルト
２０  背負い具
２１  孔
２２  シート
２３  紐
２４  背負いベルト
【図１】
0003104805.tif 000003
【図２】
0003104805.tif 000004
【図３】
0003104805.tif 000005
【図４】
0003104805.tif 000006
【図５】
0003104805.tif 000007
【図６】
0003104805.tif 000008
【図７】
0003104805.tif 000009
【図８】
0003104805.tif 000010